(57)【要約】【課題】筐体あるいは装置本体を高重量化および大型化せずに、多少の衝撃により生じた局部変形を吸収できる構造を実現する。【解決手段】蓋体１０と第１の筐体１との隙間１２において、第１の筐体１におけるハンドル４に最も近い部分の隙間１２ａの幅寸法Ｗ１を、他の部分の幅寸法Ｗ２、Ｗ３よりも大きくした。これにより、ハンドル等の突出物を誤って壁などに衝突させてしまい、ハンドル４の近傍の第１の筐体１が局部変形したとしても、隙間１２ａが局部変形を吸収することができる。よって、蓋体１０の開閉動作に支障が出る可能性を低くすることができる。【選択図】図４
2010079885.tif 000002
【特許請求の範囲】
【請求項１】
開口部を有する筐体と、
前記開口部を開閉可能に支持する支軸を有する蓋体とを備え、
前記蓋体は、前記開口部の少なくとも一部を覆うことができる蓋体本体と、前記支軸近傍の支軸側辺と、前記支軸側辺に前記蓋体本体を介して対向する対向側辺とを備え、
前記蓋体が前記開口部を閉蓋したときに、前記対向側辺と前記対向側辺が対向する前記開口部の外郭辺との間隙幅を、前記支軸側辺と前記支軸側辺が対向する前記開口部の支軸側外郭辺との間隙幅よりも、広く構成する、蓋開閉装置。
【請求項２】
前記筐体は、前記蓋体が前記開口部を閉蓋したときに前記蓋体本体に対して直交する複数の側壁をさらに備え、
前記複数の側壁の一側壁に、把持することで前記筐体を運搬することができる把持部材を、さらに備える、請求項１記載の蓋開閉装置。
【請求項３】
前記対向側辺は、前記支軸側辺よりも前記筐体の前記一側壁に近接して備える、請求項２に記載の蓋開閉装置。
【請求項４】
ディスク状情報媒体を挿脱する開口部を有するディスクドライブと、前記ディスクドライブと情報信号を授受する情報処理部とを備えた筐体と、請求項１〜３のいずれか一項に記載の蓋開閉装置とを備えた、情報処理装置。
【発明の詳細な説明】
【技術分野】
【０００１】
本発明は、蓋体を開閉自在に支持する蓋開閉装置に関する。また、蓋開閉装置を備えた情報処理装置に関する。
【背景技術】
【０００２】
近年、ノートパソコンは、多機能化が進み、外部機器との接続を担う入出力端子の数及び種類が増大している。さらに、ノートパソコンは、ディスク状媒体や半導体メモリ等の可換記録媒体を装着できる記録再生装置も標準装備されている機種が普及している。
【０００３】
特開２００４−３２６４９９号公報は、ディスク状記録媒体の挿脱が可能なディスク駆動装置と、当該ディスク駆動装置を開閉するディスクカバーとを備えたノートパソコンを開示している。特開２００４−３２６４９９号公報が開示するディスクカバーは、筐体本体の表面に回動自在に配されている。
【０００４】
従来、ノートパソコンは、新機能を追加するために、オプションパーツを装着することがあった。オプションパーツは、ノートパソコンに装着した状態で、ノートパソコンの筐体表面から突出することがあった（以下、ノートパソコンの筐体表面から突出して配置されるオプションパーツを「突起部」と称する）。このようなノートパソコンに対して、落下等の衝撃が加わった際には、突起部の付け根にその衝撃がかかることとなり、筐体の一部が変形してしまう。ノートパソコンの筐体が変形すると、ディスクカバー等の開閉蓋（特開２００４−３２６４９９号公報に開示）は、開閉動作に必要なクリアランスがなくなってしまうことがあり、開閉蓋の開閉ができない状態になることがあった。そのため、突起部自体及びその付け根部分は、変形に耐えられるように補強を施す必要があった。
【先行技術文献】
【特許文献】
【０００５】
特開２００４−３２６４９９号公報
【発明の概要】
【発明が解決しようとする課題】
【０００６】
しかしながら、突起部を補強すると、筐体あるいは装置本体が高重量化および大型化してしまうという問題があった。
【０００７】
本発明は、筐体あるいは装置本体を高重量化および大型化せずに、多少の衝撃により生じた局部変形を吸収できる蓋開閉装置およびそれを備えた情報処理装置を実現することを目的とする。
【課題を解決するための手段】
【０００８】
本発明の蓋開閉装置は、開口部を有する筐体と、前記開口部を開閉可能に支持する支軸を有する蓋体とを備え、前記蓋体は、前記開口部の少なくとも一部を覆うことができる蓋体本体と、前記支軸近傍の支軸側辺と、前記支軸側辺に前記蓋体本体を介して対向する対向側辺とを備え、前記蓋体が前記開口部を閉蓋したときに、前記対向側辺と前記対向側辺が対向する前記開口部の外郭辺との間隙幅を、前記支軸側辺と前記支軸側辺が対向する前記開口部の支軸側外郭辺との間隙幅よりも、広く構成するものである。
【０００９】
本発明の情報処理装置は、ディスク状情報媒体を挿脱する開口部を有するディスクドライブと、前記ディスクドライブと情報信号を授受する情報処理部とを備えた筐体と、蓋開閉装置とを備えたものである。
【発明の効果】
【００１０】
本発明により、装置本体に衝撃が加わった際にも、開閉に支障が無い蓋構造を提供することが可能となる。
【図面の簡単な説明】
【００１１】
【図１】本実施の形態における情報処理装置の外観を示す斜視図
【図２】本実施の形態における情報処理装置の外観を示す斜視図
【図３】第１の筐体の平面図
【図４】図３における蓋体近傍の要部平面図
【発明を実施するための形態】
【００１２】
本実施の形態にかかる蓋開閉装置は、開口部を有する筐体と、前記開口部を開閉可能に支持する支軸を有する蓋体とを備え、前記蓋体は、前記開口部の少なくとも一部を覆うことができる蓋体本体と、前記支軸近傍の支軸側辺と、前記支軸側辺に前記蓋体本体を介して対向する対向側辺とを備え、前記蓋体が前記開口部を閉蓋したときに、前記対向側辺と前記対向側辺が対向する前記開口部の外郭辺との間隙幅を、前記支軸側辺と前記支軸側辺が対向する前記開口部の支軸側外郭辺との間隙幅よりも、広く構成するものである。
【００１３】
本実施の形態にかかる蓋開閉装置は、上記構成を基本として、以下のような態様をとることができる。
【００１４】
本実施の形態にかかる蓋開閉装置において、前記筐体は、前記蓋体が前記開口部を閉蓋したときに前記蓋体本体に対して直交する複数の側壁をさらに備え、前記複数の側壁の一側壁に、把持することで前記筐体を運搬することができる把持部材を、さらに備える構成とすることができる。
【００１５】
本実施の形態にかかる蓋開閉装置は、前記側壁に配され、把持することで前記筐体を運搬することができる把持部材を、さらに備える構成とすることができる。
【００１６】
本実施の形態にかかる情報処理装置は、ディスク状情報媒体を挿脱する開口部を有するディスクドライブと、前記ディスクドライブと情報信号を授受する情報処理部とを備えた筐体と、蓋開閉装置とを備えたものである。
【００１７】
（実施の形態）
図１は、本実施の形態の情報処理装置の外観を示す斜視図であり、情報処理装置の一例であるノートパソコンの第１の状態を示す。図２は、本実施の形態におけるノートパソコンにおいて蓋体が開いた状態を示す斜視図である。なお、本実施の形態では、情報処理装置の一例としてノートパソコンを挙げたが、携帯電話端末や医療機器などのように凹部を備え、その凹部を開閉可能な蓋体を備えた情報処理装置であればよい。
【００１８】
図１に示すように、ノートパソコンは、第１の筐体１と第２の筐体２とを備えている。第１の筐体１は、各種電気素子が実装された回路基板、ハードディスクドライブなどを内蔵している。第２の筐体２は、液晶ディスプレイ２ａを備えている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。
【００１９】
また、ノートパソコンが第２の状態の時に第２の筐体２と対向する第１の筐体１の面を「上側」と規定した場合、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。また、第１の筐体１の上面１ａには、支軸１５（図３参照）により回動自在に配された蓋体１０を備えている。支軸１５は、両端が第１の筐体１に支持され、両端の間の部分に蓋体１０を支持している。
【００２０】
また、ノートパソコンの第２の状態においてハンドル４側を「前側」と規定すると、第１の筐体１における前側の側面（以下、第１の筐体１の前面と称する）１ｂには、ハンドル４、支持部材４１及び４２を備えている。
【００２１】
第１の筐体１は、上面１ａの周囲に複数の側面（側壁）を有する。側面１ｂは、その複数の側面のうちの一つである。
【００２２】
ハンドル４は、使用者が手で把持することが可能である。使用者がハンドル４を手で把持することにより、ノートパソコンを手で持って運搬することができる。また、ハンドル４の長手方向の両端は、それぞれ支持部材４１及び４２に支持されている。支持部材４１及び４２は、第１の筐体１の側面１ｂから突出して配されている。また、支持部材４１及び４２は、使用者が第２の状態（不図示）のノートパソコンのハンドル４を手で把持した時に、第２の筐体２の上端（すなわち、第２の状態における第２の筐体２のハンドル４側の縁）に対して突出するように配されている。なお、ハンドル４は、把持部材の一例である。
【００２３】
蓋体１０は、矢印Ｂに示す方向（図１）または矢印Ｃに示す方向（図２）へ回動可能に、第１の筐体１に支持されている。蓋体１０は、図２に示すように第１の筐体１に凹状に配されたディスクドライブ１１を開閉可能である。ディスクドライブ１１内には、ターンテーブル１３，光ピックアップ１４などが配されている。ターンテーブル１３は、ディスク状媒体２１の中央に形成された円形の孔部２２と嵌合することで、ディスク状媒体２１を保持することができる。光ピックアップ１４は、ターンテーブル１３に装着されたディスク状媒体２１の記録面に対してレーザー光を出射して、記録面に情報を記録することができる。光ピックアップ１４は、ディスク状媒体２１の記録面に対してレーザー光を出射して、記録面を反射した光を受光素子で受光することで、ディスク状媒体２１に記録された情報を読み取ることができる。
【００２４】
図３は、第１の筐体１の平面図である。図４は、図３における蓋体１０の近傍の平面図である。図４に示すように、蓋体１０は、対向側辺１０ａ、支軸側辺１０ｂ、支軸側辺１０ｃ、蓋体本体１０ｄ、および支軸側辺１０ｅを備えている。蓋体本体１０ｄは、蓋体１０が閉蓋状態になったときに、ディスクドライブ１１の全体または一部を覆うことができる。蓋体本体１０ｄは、対向側辺１０ａ、支軸側辺１０ｂ、支軸側辺１０ｃ、および支軸側辺１０ｅで囲まれている。蓋体本体１０ｄは、蓋体１０が閉蓋状態になったときに、その主平面が第１の筐体１の側面（側壁）に直交している。支軸側辺１０ｅは、支軸１５の近傍に配されている。対向側辺１０ａと支軸側辺１０ｅとは、蓋体本体１０ｄを介して対向している。支軸側辺１０ｂと支軸側辺１０ｃとは、蓋体本体１０ｄを介して対向している。蓋体１０と第１の筐体１の上面１ａとの間には隙間１２が形成されている。
【００２５】
第１の筐体１は、外郭辺１ｃ、支軸側外郭辺１ｄ、支軸側外郭辺１ｅ、および支軸側外郭辺１ｆを備えている。隙間１２は、外郭辺１ｃ、支軸側外郭辺１ｄ、支軸側外郭辺１ｅ、および支軸側外郭辺１ｆで囲まれている。すなわち、外郭辺１ｃ、支軸側外郭辺１ｄ、支軸側外郭辺１ｅ、および支軸側外郭辺１ｆは、ディスクドライブ１１を備えた開口部を形成している。
【００２６】
隙間１２は、蓋体１０の周囲に形成されている。本実施の形態では、幅寸法Ｗ１は、幅寸法Ｗ２及びＷ３よりも大きくした。幅寸法Ｗ１は、支持部材４２等が配された第１の筐体１の側面１ｂに最も近い部分の隙間１２ａの寸法である。幅寸法Ｗ２は、隙間１２ｄの寸法である。幅寸法Ｗ３は、ポインティングデバイス６に最も近い部分の隙間１２ｂ（隙間１２ｂに対向する隙間１２ｃも同様）の寸法である。すなわち、蓋体１０がディスクドライブ１１を閉塞している時、対向側辺１０ａと、対向側辺１０ａに対向する外郭辺１ｃとの間隙の幅寸法Ｗ１は、支軸側辺１０ｅと、支軸側辺１０ｅに対向する支軸側外郭辺１ｆとの間隙の幅寸法Ｗ２よりも、大きくしている。また、幅寸法Ｗ１は、支軸１５が係合する蓋体１０の支軸側辺１０ｂまたは１０ｃと、支軸１５が係合する第１の筐体１の支軸側外郭辺１ｄまたは１ｅとの間隙の幅寸法Ｗ３よりも、大きくしている。なお、本実施の形態では、幅寸法Ｗ２と幅寸法Ｗ３とは、同じ寸法としたが、少なくとも幅寸法Ｗ１よりも小さければよい。また、支軸側辺１０ｂと支軸側外郭辺１ｄ、支軸側辺１０ｃと支軸側外郭辺１ｅ、支軸側辺１０ｅと支軸側外郭辺１ｆにおける「対向」とは、隙間を挟んで対向している場合と、隙間がなく対向している場合とを含む。
【００２７】
このような構成とすることで、使用者がハンドル４を手で把持して運搬している時に、誤って支持部材４２を壁などに衝突させてしまい、第１の筐体１の前面領域２０およびその周辺が矢印Ｄに示す方向に局部変形したとしても、対向側辺１０ａと外郭辺１ｃとの間に隙間が残る可能性が高い。すなわち、対向側辺１０ａと外郭辺１ｃとの間には、幅寸法Ｗ２及びＷ３よりも大きな幅寸法Ｗ１を有する隙間１２ａが形成されているため、外郭辺１ｃが矢印Ｄに示す方向に変形した際に、対向側辺１０ａと外郭辺１ｃとの間に隙間が残る可能性が高い。したがって、蓋体１０の開閉動作に支障が生じる可能性を低くすることができる。
【００２８】
これに対して、隙間１２ａの幅寸法Ｗ１を小さく（例えば幅寸法Ｗ２と同じ寸法）すると、第１の筐体１における前面領域２０およびその近傍が矢印Ｄに示す方向に局部変形した場合に、対向側辺１０ａと外郭辺１ｃとの隙間１２ａが無くなってしまう可能性が高い。すると、蓋体１０の開閉動作がスムーズに行えなくなったり、開閉ができなくなってしまうなどの支障が生じる可能性が高くなる。
【００２９】
なお、本実施の形態では、隙間１２ａの幅寸法Ｗ１を１ｍｍ、隙間１２ｄの幅寸法Ｗ２、隙間１２ｂの幅寸法Ｗ３をそれぞれ０．４ｍｍとしたが（これらの値は一例）、幅寸法Ｗ１の値をさらに大きくすることで、矢印Ｄに示す方向の局部変形に対するマージンを大きく確保することができる。
【００３０】
本実施の形態の蓋開閉装置は、蓋体１０と第１の筐体１との隙間１２において、第１の筐体１における突出物（ハンドル４，支持部材４１及び４２）に最も近い部分の隙間１２ａの幅寸法を、他の部分の幅寸法よりも大きくした。これにより、突出物を誤って壁などに衝突させてしまい、突出部近傍の第１の筐体１が局部変形したとしても、それを吸収することができる。よって、蓋体１０の開閉動作に支障が出る可能性を低くすることができる。
【００３１】
また、本実施の形態によれば、衝撃印加時に蓋体１０の変形を抑えるための補強をしなくてもよいため、第１の筐体１およびそれを備えたノートパソコンが高重量化したり大型化したりせずに、多少の衝撃により生じた局部変形を吸収できる構造を実現することができる。
【００３２】
なお、本実施の形態では、突出物の一例としてハンドル４，支持部材４１及び４２を挙げたが、オプション機器等の様々な突出物に対しても有効である。オプション機器としては、例えば、第１の筐体１の側面に配されたＰＣＭＣＩＡ（Personal Computer Memory Input Output Association）規格に準拠したＰＣカードスロットに装着されたテレビチューナーユニットなどがある。
【００３３】
また、本実施の形態では、隙間１２ａの幅寸法を他の隙間の幅寸法よりも大きくしたが、突出物が第１の筐体１の側面１ｂ以外の部位にある場合は、突出物が配された部位に最も近い隙間の幅寸法を大きくすることで、本実施の形態と同様の効果を得ることができる。
【００３４】
本実施の形態において、第１の筐体１のディスクドライブ１１が配された位置に形成された凹部は、本発明の開口部の一例である。本実施の形態における第１の筐体１は、本発明の筐体の一例である。本実施の形態における蓋体１０は、本発明の蓋体の一例である。本実施の形態における支軸１５は、本発明の支軸の一例である。本実施の形態における対向側辺１０ａは、本発明の対向側辺の一例である。本実施の形態における外郭辺１ｃは、本発明の外郭辺の一例である。本実施の形態における支軸側辺１０ｅは、本発明の支軸側辺の一例である。本実施の形態における支軸側外郭辺１ｄまたは１ｅは、本発明の支軸側外郭辺の一例である。本実施の形態における側面１ｂは、本発明の側壁の一例である。本実施の形態における側面１ｂは、本発明の一側壁の一例である。
【００３５】
本実施の形態に関して、以下の付記を開示する。
【００３６】
（付記１）
開口部を有する筐体と、
前記開口部を開閉可能に支持する支軸を有する蓋体とを備え、
前記蓋体は、前記開口部の少なくとも一部を覆うことができる蓋体本体と、前記支軸近傍の支軸側辺と、前記支軸側辺に前記蓋体本体を介して対向する対向側辺とを備え、
前記蓋体が前記開口部を閉蓋したときに、前記対向側辺と前記対向側辺が対向する前記開口部の外郭辺との間隙幅を、前記支軸側辺と前記支軸側辺が対向する前記開口部の支軸側外郭辺との間隙幅よりも、広く構成する、蓋開閉装置。
【００３７】
（付記２）
前記筐体は、前記蓋体が前記開口部を閉蓋したときに前記蓋体本体に対して直交する複数の側壁をさらに備え、
前記複数の側壁の一側壁に、把持することで前記筐体を運搬することができる把持部材を、さらに備える、付記１記載の蓋開閉装置。
【００３８】
（付記３）
前記対向側辺は、前記支軸側辺よりも前記筐体の前記一側壁に近接して備える、付記２に記載の蓋開閉装置。
【００３９】
（付記４）
ディスク状情報媒体を挿脱する開口部を有するディスクドライブと、前記ディスクドライブと情報信号を授受する情報処理部とを備えた筐体と、付記１〜３のうちいずれか一つに記載の蓋開閉装置とを備えた、情報処理装置。
【産業上の利用可能性】
【００４０】
本発明の蓋開閉装置は、蓋体により開閉可能な凹部を備えた機器に有用である。その応用例として、例えばノートパソコンなどの情報処理装置がある。
【符号の説明】
【００４１】
１  第１の筐体
２  第２の筐体
４  ハンドル
１０  蓋体
１２，１２ａ  隙間
１５  支軸
４１、４２  支持部材
【図１】
2010079885.tif 000003
【図２】
2010079885.tif 000004
【図３】
2010079885.tif 000005
【図４】
2010079885.tif 000006